(57)【要約】【課題】複数のレーザユニットの露光特性が異なっても、記録した画像の濃度ムラを低減することができる画像記録装置を提供する。【解決手段】割当て手段が、信号セレクタ２９により選択した色情報に基づき、メモリ２８から個々の画像を呼出して、これらの画像を、それぞれ対応する記録マガジン３の記録レーザチャンネルｃｈに割り当て、書出し位置移動手段が、マガジン側モータドライバー２６を作動させて記録マガジン３を副走査方向Ｙに移動して、それぞれの記録レーザチャンネルｃｈをそれぞれの書出し位置に移動して、各記録レーザチャンネルｃｈを、それぞれ対応するプレート４の各記録エリアに位置させる。このように、レーザユニット２の副走査方向Ｙにおける書き出し位置を色分解した複数の画像毎に異ならせる。【選択図】図２１
2008275764.tif 000002
【特許請求の範囲】
【請求項１】
画像が記録されるプレートが巻き付けられて装着され、且つ回転制御されるドラムと、このドラムに対峙して前記プレートに前記画像を記録する複数のレーザユニットを前記ドラムの軸方向である副走査方向に等間隔に配置し且つ前記副走査方向に移動制御される光記録ヘッドを備え、前記光記録ヘッドを前記副走査方向に移動させると共に、前記ドラムを、前記副走査方向に直交する主走査方向に回転させて、異なる前記プレートにカラー画像を色分解した複数の画像を各々記録する画像記録装置であって、
前記レーザユニットの前記副走査方向における書き出し位置を色分解した複数の前記画像毎に異ならせることを特徴とする画像記録装置。
【請求項２】
前記ドラムを前記主走査方向に回転させるドラム駆動モータと、
前記光記録ヘッドを前記副走査方向に移動させるマガジン送りモータと、
前記ドラム駆動モータを起動して前記ドラムを前記主走査方向に回転させる主走査制御手段と、
前記マガジン送りモータを起動して前記光記録ヘッドを副走査方向に移動する副走査制御手段と、
前記カラー画像を色分解して形成されるイエローＹ、マゼンタＭ、シアンＣ、ブラックＫ毎の前記画像を記憶する記憶手段と、
前記イエローＹ、前記マゼンタＭ、前記シアンＣ、前記ブラックＫの何れかの色情報を選択し、この色情報に基づき前記記憶手段から個々の前記画像を呼出して、これらの画像を、それぞれ対応する前記光記録ヘッドのレーザユニットに割り当てる割当て手段と、
前記副走査制御手段により前記光記録ヘッドを前記副走査方向に移動して、それぞれの前記レーザユニットをそれぞれの書出し位置に移動して、前記各レーザユニットを、それぞれ対応する前記プレートの各記録エリアに位置させる書出し位置移動手段と、
前記主走査制御手段、前記副走査制御手段、前記記憶手段、前記割当て手段及び前記書出し位置移動手段を制御する制御手段を備えたことを特徴とする請求項１に記載の画像記録装置。
【発明の詳細な説明】
【技術分野】
【０００１】
本発明は、記録媒体であるプレートをドラムに巻き付け、レーザ光を照射して画像記録を行う画像記録装置に関するものである。
【背景技術】
【０００２】
平版印刷用の印刷版を形成するために、表面部に感剤をコーティングしたプレート（アルミプレート等）を外周部に巻き付けて固定したドラムを回転し、このプレートにレーザ光を照射して画像を記録（露光）する装置がある。
【０００３】
このような画像記録装置において、ドラム上に巻き付けられたプレートへの画像の記録は、レーザ光をオン／オフして、必要なパターンを露光することにより行われる。一方高速に回転するドラムに対して設けられた光記録ヘッドを基台のスケール上を移動させることにより、副走査を行っている。
【０００４】
ところで、このような画像記録装置においては、ドラムや基台のスケール等の部品は、画像記録時に画質への影響が少なくなるように構成されると共に、レーザ光の照射位置等を変動分に対応して補正するものがある（特許文献１参照）。
【特許文献１】特開２００２−９８９２５号公報
【発明の開示】
【発明が解決しようとする課題】
【０００５】
従来の画像記録装置は、光記録ヘッドを基台のスケール上を移動させる副走査を伴う構成であるが、その副走査移動の距離を少なくするために、光記録ヘッドに組み込まれるレーザユニットの数も増加傾向にある。
【０００６】
そして、近年では、副走査移動を殆ど伴わない複数のレーザユニットから構成される光記録ヘッドも開発されているが、複数あるレーザユニットの露光特性が異なると、記録した画像に濃度ムラなどが生じる。
【０００７】
各レーザユニットの記録レーザチャンネルｃｈはレーザドライブ電流Ｉに対するレーザパワーＰの特性（ＩＰ特性）の差があり、それについては、オートパワーコントロール（ＡＰＣ）処理によって補正される。すなわち、図２２に示すように、一定のレーザドライブ電流Ｉにより各レーザユニットがレーザを発光させた場合、環境温度（２０℃、４０℃、６０℃）により、レーザパワーＰが異なってくる。この環境温度によって起こるレーザパワーＰの低下を防ぐために、ＡＰＣ処理によりレーザドライブ電流Ｉを変化させて、レーザパワーＰを一定にするようにしている。
【０００８】
しかしながら、各々のレーザユニットは、レーザ光の拡がり角度のバラツキや、レンズの収差などにより、記録ドット径のバラツキや、制御回路の周波数特性のバラツキなどによって、記録ドットの大きさにバラツキが生じる。
【０００９】
そのために、図２３に示す網濃度グラフのように、５０％の網パターンを記録させた場合に、網パターンに０．５％程度のズレが生じ、プレート上で記録された画像には、濃度ムラとなって縦筋状に現れる。
【００１０】
すなわち、網濃度グラフは、プレート上での網濃度例（５０％網パターン記録時）を示している。例えば、８×８の６４ドットの絵を描くとき、５０％網パターンというのは、３２ドットがオン（ＯＮ）した場合である。なお、一つのドットが、きれいに１００％正方形で再現された場合は、５０％という正しい網濃度になるのであるが、上記したように、規定ラインの各々のレーザユニットは記録ドットの大きさにバラツキが生じる結果、記録レーザチャンネルｃｈ１では、網濃度が少し濃い目で５０．３％となるが、記録レーザチャンネルｃｈ２では、逆に、網濃度が４９．８％となって薄くなる。
【００１１】
このような特性を光記録ヘッドとしてはもっているので、この特性で、例えば、黒だけ（単色）で出した場合、それなりの濃度ムラとして見えることになるのであるが、これを四色（イエローＹ、マゼンタＭ、シアンＣ、ブラックＫ）を重ね合わせて書き出した場合、この５０．３％とか、４９．８％とかのメッシュの濃度差が増幅して見える。すなわち、プレート上で記録された画像は、濃度ムラとなって筋が目立って縦筋状に現れるという問題があった。
【００１２】
本発明は、このような問題を解決するものであって、その目的とするところは、複数のレーザユニットの露光特性が異なっても、記録した画像の濃度ムラを低減することができる画像記録装置を提供することである。
【課題を解決するための手段】
【００１３】
本発明の画像記録装置は、画像が記録されるプレートが巻き付けられて装着され、且つ回転制御されるドラムと、このドラムに対峙してプレートに画像を記録する複数のレーザユニットをドラムの軸方向である副走査方向に等間隔に配置し且つ副走査方向に移動制御される光記録ヘッドを備え、光記録ヘッドを副走査方向に移動させると共に、ドラムを副走査方向に直交する主走査方向に回転させて、異なるプレートにカラー画像を色分解した複数の画像を各々記録する画像記録装置であって、レーザユニットの副走査方向における書き出し位置を色分解した複数の画像毎に異ならせるものである。
【発明の効果】
【００１４】
本発明の画像記録装置によれば、レーザユニットの副走査方向における書き出し位置を色分解した複数の画像毎に異ならせることで、複数のレーザユニットの露光特性が異なっても、記録した画像の濃度ムラを低減することができる。
【発明を実施するための最良の形態】
【００１５】
請求項１に記載の本発明に係る画像記録装置は、画像が記録されるプレートが巻き付けられて装着され、且つ回転制御されるドラムと、このドラムに対峙してプレートに画像を記録する複数のレーザユニットをドラムの軸方向である副走査方向に等間隔に配置し且つ副走査方向に移動制御される光記録ヘッドを備え、光記録ヘッドを副走査方向に移動させると共に、ドラムを副走査方向に直交する主走査方向に回転させて、異なるプレートにカラー画像を色分解した複数の画像を各々記録する画像記録装置であって、レーザユニットの副走査方向における書き出し位置を色分解した複数の画像毎に異ならせるものである。
【００１６】
前記構成により、レーザユニットの副走査方向における書き出し位置を色分解した複数の画像毎に異ならせることで、複数のレーザユニットの露光特性が異なっても、記録した画像の濃度ムラを低減することができる。
【００１７】
また、請求項２に記載の本発明に係る画像記録装置は、請求項１に記載の画像記録装置において、ドラムを主走査方向に回転させるドラム駆動モータと、光記録ヘッドを副走査方向に移動させるマガジン送りモータと、ドラム駆動モータを起動してドラムを主走査方向に回転させる主走査制御手段と、マガジン送りモータを起動して光記録ヘッドを副走査方向に移動する副走査制御手段と、カラー画像を色分解して形成されるイエローＹ、マゼンタＭ、シアンＣ、ブラックＫ毎の画像を記憶する記憶手段と、イエローＹ、マゼンタＭ、シアンＣ、ブラックＫの何れかの色情報を選択し、この色情報に基づき記憶手段から個々の画像を呼出して、これらの画像を、それぞれ対応する光記録ヘッドのレーザユニットに割り当てる割当て手段と、副走査制御手段により光記録ヘッドを副走査方向に移動して、それぞれのレーザユニットをそれぞれの書出し位置に移動して、各レーザユニットを、それぞれ対応するプレートの各記録エリアに位置させる書出し位置移動手段と、主走査制御手段、副走査制御手段、記憶手段、割当て手段及び書出し位置移動手段を制御する制御手段を備えたものである。
【００１８】
前記構成により、割当て手段が、イエローＹ、マゼンタＭ、シアンＣ、ブラックＫの何れかの色情報を選択し、この色データに基づき記憶手段から個々の画像を呼出して、これらの画像を、それぞれ対応する光記録ヘッドのレーザユニットに割り当て、書出し位置移動手段が、光記録ヘッドを副走査方向に移動して、それぞれのレーザユニットをそれぞれの書出し位置に移動して、各レーザユニットを、それぞれ対応するプレートの各記録エリアに位置させる。このように、レーザユニットの副走査方向における書き出し位置を色分解した複数の画像毎に異ならせることで、複数のレーザユニットの露光特性が異なっても、記録した画像の濃度ムラを低減することができる。すなわち、記録した画像を備えたイエローＹ版、マゼンタＭ版、シアンＣ版及びブラックＫ版を重ね合わして印刷した印刷物には濃度ムラが低減するようになる。
【００１９】
以下、本発明に係る画像記録装置の実施例を、図面を参照して説明する。
【００２０】
図１は本発明に係る画像記録装置の正面図、図２は同画像記録装置の一部省略した斜視図、図３は本発明に係る光記録ヘッドのユニット本体の斜視図、図４は同ユニット本体の正面図、図５は同ユニット本体に設けられたレーザユニットの配列を示す説明図、図６は同ユニット本体を複数配列した状態の正面図、図７は同光記録ヘッドの側面図、図８は図７のＤ−Ｄ線に沿う拡大断面図、図９はニット本体とドラムの位置関係の説明図、図１０は本発明に係る画像記録装置の画像記録制御手段のブロック図である。
【００２１】
図１に示すように、本発明に係る画像記録装置はドラム５と光記録ヘッドＨを備えており、ドラム５の表面には、光記録ヘッドＨにより画像を記録する記録媒体であるプレート４が巻き付けて装着してある。プレート４は、印刷物を印刷する際の印刷原版に使用するもので、ベースフイルムの表面に例えば昇華染料を塗布したシート状である。ドラム５はドラム駆動モータ（サーボモータ）６により主走査方向Ｘへ回転駆動されるものである。このプレート４は図１に示すようにドラム５に１枚巻き付けて装着しても良いし、図２に示すようにドラム５に２枚巻き付けて装着することもできる。
【００２２】
また、図３に示すように、光記録ヘッドＨはユニット本体１を備えており、このユニット本体１は多数のレーザユニット２が設けられた記録マガジン３を有している。この記録マガジン３には、図４に示すように副走査方向Ｙと平行する列Ｌに、複数本のレーザユニット２が配列され、主走査方向Ｘに例えば５段Ｌ１〜Ｌ５設けてある。
【００２３】
そして、図５に示すように、各列Ｌに配列したレーザユニット２を各列Ｌ１〜Ｌ５毎に副走査方向Ｙにずらしている。すなわち第１列目のＬ１の端部にあるレーザユニット２を記録レーザチャンネルｃｈ１としたら、記録レーザチャンネルｃｈ２を２列Ｌ２に配置し、記録レーザチャンネルｃｈ１と記録レーザチャンネルｃｈ２のピッチをレーザ間ピッチ（μｍ）としている。以下各列Ｌ１〜Ｌ５毎にレーザ間ピッチずつ記録レーザチャンネルｃｈ３、記録レーザチャンネルｃｈ４、記録レーザチャンネルｃｈ５とずらしたら、記録レーザチャンネルｃｈ６を第１列Ｌ１に設けている。
【００２４】
これによって第１列Ｌ１に配置されるレーザユニット２の隣接ピッチ（実配列ピッチ）は、同じ列に並べる場合のほぼ５倍となるために、レーザユニット２のケース２ａ同士が互いに干渉せずに記録マガジン３に配列可能になる。そして、図２、図６に示すように、光記録ヘッドＨでは、高解像度の画像を高速でプレート４に記録するために、ユニット本体１を４個、ユニットＵ１，Ｕ２，Ｕ３、Ｕ４として副走査方向Ｙに連結し、且つマガジンベース８に搭載して使用している。
【００２５】
そして、そのマガジンベース８がマガジン送りモータ（リニアモータ）７の可動部（図示せず）に連結してあり、これにより光記録ヘッドＨは、マガジン送りモータ７により主走査方向Ｘと直交する副走査方向Ｙへ往復動するようにしてある。
【００２６】
レーザユニット２は、図７に示すように記録マガジン３に配設され、それぞれのレーザユニット２は、図８に示すように、筒状のケース２ａに設けられたレーザパッケージ１２と、このレーザパッケージ１２より射出されたレーザ光をレーザビーム１２ｃとしてプレート４に照射する光学系１３を主構成としている。この光学系１３は、コリメートレンズ９と成形レンズ１０とアパーチャ１１と対物レンズ１８を、この順序にレーザビーム進行方向にケース２ａに配設して構成してある。この場合、アパーチャ１１は、成形レンズ１０により成形されたレーザビーム１２ｃの径を一定にするものである。
【００２７】
このように構成されたレーザユニット２は、記録マガジン３に設けたレーザユニット収容部１５に、押圧付勢ばね１６と共に、収容してあって、レーザユニット２は、押圧付勢ばね１６によりレーザユニット収容部１５の二面の基準面１７に押し付けられている。
【００２８】
また、図９は、画像形成装置に装着したユニット本体１とドラム５の位置関係を示すものであり、例えば、５段に設けられたレーザユニット２の中段、すなわち３列目Ｌ３のレーザユニット２の中心とドラム５の中心線を一致させて、３列目Ｌ３のレーザユニット２のレーザビーム１２ｃの焦点１２ｄを、ドラム５に巻き付けられたプレート４の表面に合わせた場合、３列目Ｌ３のレーザユニット２の上下に位置する４列目Ｌ４及び２列目Ｌ２のレーザユニット２のレーザビーム１２ｃの焦点１２ｄと、３列目Ｌ３のレーザユニット２のレーザビーム１２ｃの焦点１２ｄのずれ量Ｓは、ドラム５の半径Ｒが２００ｍｍの場合０．２５ｍｍとなり、３列目Ｌ３のレーザユニット２と、その列以外の列のレーザユニット２の間に焦点ずれが生じてしまう。
【００２９】
これを補正するために、プレート４の接離方向にレーザユニット２を移動させて、各レ−ザユニット２とも、ドラム５の表面のプレート４にレーザビーム１２ｃの焦点１２ｄが合うように焦点調整が行なわれている。そして、全てのレーザユニット２の焦点調整が完了したら、調整位置がずれないように接着等の手段で各レーザユニット２を記録マガジン３に固着してある。
【００３０】
図１０に示すように、画像記録手段２０は、上位システム側の画像サーバ２２にインタフェースを介して接続されたインタフェース部２３と、インタフェース部２３の制御信号を受信するシステムコントロール部２４と、ドラム駆動モータ６を制御する主走査制御手段であるドラム側モータドライバー２５と、マガジン送りモータ７を制御する副走査制御手段であるマガジン側モータドライバー２６と、ドラム側モータドライバー２５及びマガジン側モータドライバー２６を制御する機構コントロール部２７と、インタフェース部２３からの画像データを記憶する記憶手段であるメモリ（ページメモリもしくはチャンネルｃｈ数分のラインメモリ）２８と、このメモリ（ページメモリもしくはチャンネルｃｈ数分のラインメモリ）２８から画像データを読み出して画像のライン毎にレーザユニット２を選択する選択手段である信号セレクタ２９を備えている。
【００３１】
メモリ２８が有するページメモリは、カラー画像を色分解して形成されるイエローＹ（Ｙｅｌｌｏｗ）、マゼンタＭ（Ｍａｇｅｎｔａ）、シアンＣ（Ｃｙａｎ）、ブラックＫ（Ｂｌａｃｋ）毎の画像を記憶している。
【００３２】
また、システムコントロール部２４及び機構コントロール部２７は制御手段であるマイクロコンピュータ３０で構成してあり、システムコントロール部２４は、信号セレクタ２９により選択した色情報に基づき、メモリ２８から個々の画像を呼出して、これらの画像を、それぞれ対応する記録マガジン３の記録レーザチャンネルｃｈに割り当てる割当て手段としての機能と、マガジン側モータドライバー２６を作動させて記録マガジン３を副走査方向Ｙに移動して、それぞれの記録レーザチャンネルｃｈをそれぞれの書出し位置に移動して、各記録レーザチャンネルｃｈを、それぞれ対応するプレート４の各記録エリアに位置させる書出し位置移動手段としての機能を備えている。
【００３３】
また、図１１に示すように、ドラム駆動モータ６及びマガジン送りモータ７は、それぞれのエンコーダ６Ａ，７Ａによりモータ回転信号が検出されるようにしてある。機構コントロール部２５は、エンコーダ６Ａ，７Ａが検出したモータ回転信号がある値と一致したところで、記録側カウンタ（図示せず）に負荷を与えて記録するようにしてある。この記録側カウンタには、主走査方向Ｘのカウンタと副走査方向Ｙのカウンタがあり、全ての画像記録チャンネルｃｈに対して並列に入っている。
【００３４】
そして、システムコントロール部２４は、その割当て機能を用いて、図１２乃至図１５に示すように、画像（記録画像１，２，３，４）を記録レーザチャンネルｃｈに割り当てる。
【００３５】
すなわち、図１２に示すように、シアンＣ版記録時では、メモリ２８に対して信号セレクタ２９が、ＬＣ１（記録画像１）を記録レーザチャンネルｃｈ１に割り当て、ＬＣ２（記録画像２）を記録レーザチャンネルｃｈ２に割り当て、ＬＣ３（記録画像３）を記録レーザチャンネルｃｈ３に割り当て、ＬＣ４（記録画像４）を記録レーザチャンネルｃｈ４に割り当て、・・・ＬＣＮ（記録信号Ｎ）を記録レーザチャンネルｃｈＮに割り当てるというように対応づける。
【００３６】
また、図１３に示すように、マゼンタＭ版記録時では、メモリ２８に対して信号セレクタ２９が、ＬＣ１（記録画像１）を記録レーザチャンネルｃｈ２に割り当て、ＬＣ２（記録画像２）を記録レーザチャンネルｃｈ３に割り当て、ＬＣ３（記録画像３）を記録レーザチャンネルｃｈ４に割り当て、ＬＣ４（記録画像４）を記録レーザチャンネルｃｈ５に割り当て、・・・ＬＣＮ（記録信号Ｎ）を記録レーザチャンネルｃｈＮ＋１に割り当てるというように対応づける。
【００３７】
また、図１４に示すように、イエローＹ版記録時では、メモリ２８に対して信号セレクタ２９が、ＬＣ１（記録画像１）を記録レーザチャンネルｃｈ３に割り当て、ＬＣ２（記録画像２）を記録レーザチャンネルｃｈ４に割り当て、ＬＣ３（記録画像３）を記録レーザチャンネルｃｈ５に割り当て、ＬＣ４（記録画像４）を記録レーザチャンネルｃｈ６に割り当て、・・・ＬＣＮ（記録信号Ｎ）を記録レーザチャンネルｃｈＮ＋２に割り当てるというように対応づける。
【００３８】
また、図１５に示すように、ブラックＫ版記録時では、メモリ２８に対して信号セレクタ２９が、ＬＣ１（記録画像１）を記録レーザチャンネルｃｈ４に割り当て、ＬＣ２（記録画像２）を記録レーザチャンネルｃｈ５に割り当て、ＬＣ３（記録画像３）を記録レーザチャンネルｃｈ６に割り当て、ＬＣ４（記録画像４）を記録レーザチャンネルｃｈ７に割り当て、・・・ＬＣＮ（記録信号Ｎ）を記録レーザチャンネルｃｈＮ＋３に割り当てるというように対応づける。
【００３９】
図１６に、プレート４における記録エリアの配置を示す。記録エリアは、プレート４の右端からＬＣ１、ＬＣ２、ＬＣ３、ＬＣ４、・・・ＬＣＮのように区画してあり、記録エリアＬＣ１は１ライン目からｎライン目までであり、記録エリアＬＣ２はｎ＋１ライン目から２ｎライン目までであり、記録エリアＬＣ３は２ｎ＋１ライン目から３ｎライン目までであり、記録エリアＬＣ４は３ｎ＋１ライン目から４ｎライン目まである。
【００４０】
また、システムコントロール部２４は、その書出し位置移動機能を用いて、マガジン側モータドライバー２６により記録マガジン３を副走査方向Ｙに移動して、それぞれの記録レーザチャンネルｃｈをそれぞれの書出し位置に移動して、各記録レーザチャンネルｃｈを、それぞれ対応するプレート４の各記録エリアに位置させる。
【００４１】
すなわち、図１７に示すように、シアンＣ版記録時では、システムコントロール部２４が機構コントロール部２５に指令して、マガジン側モータドライバー２６に駆動信号を出力することにより、このマガジン側モータドライバー２６を作動してマガジン送りモータ７を起動し、記録マガジン３を副走査方向Ｙに移動して、記録レーザチャンネルｃｈ１を書出し位置（プレート４の右端）に移動させて記録レーザチャンネルｃｈ１をプレート４の記録エリアＬＣ１に位置させ、記録レーザチャンネルｃｈ２を記録エリアＬＣ２に位置させ、記録レーザチャンネルｃｈ３を記録エリアＬＣ３に位置させ、記録レーザチャンネルｃｈ４を記録エリアＬＣ４に位置させる。
【００４２】
したがって、記録エリアＬＣ１は記録レーザチャンネルｃｈ１で記録されるし、記録エリアＬＣ２は記録レーザチャンネルｃｈ２で記録されるし、記録エリアＬＣ３は記録レーザチャンネルｃｈ３で記録されるし、記録エリアＬＣ４は記録レーザチャンネルｃｈ４で記録されるようになる。
【００４３】
また、図１８に示すように、マゼンタＭ版記録時では、システムコントロール部２４が機構コントロール部２５に指令して、マガジン側モータドライバー２６に駆動信号を出力することにより、このマガジン側モータドライバー２６を作動してマガジン送りモータ７を起動し、記録マガジン３を副走査方向Ｙに移動して、記録レーザチャンネルｃｈ２を書出し位置（プレート４の右端）に移動して、記録レーザチャンネルｃｈ２をプレート４の記録エリアＬＣ１に位置させ、記録レーザチャンネルｃｈ３を記録エリアＬＣ２に位置させ、記録レーザチャンネルｃｈ４を記録エリアＬＣ３に位置させ、記録レーザチャンネルｃｈ５を記録エリアＬＣ４に位置させる。
【００４４】
したがって、記録エリアＬＣ１は記録レーザチャンネルｃｈ２で記録されるし、記録エリアＬＣ２は記録レーザチャンネルｃｈ３で記録されるし、記録エリアＬＣ３は記録レーザチャンネルｃｈ４で記録されるし、記録エリアＬＣ４は記録レーザチャンネルｃｈ５で記録されるようになる。
【００４５】
また、図１９に示すように、イエローＹ版記録時では、システムコントロール部２４が機構コントロール部２５に指令して、マガジン側モータドライバー２６に駆動信号を出力することにより、このマガジン側モータドライバー２６を作動してマガジン送りモータ７を起動し、記録マガジン３を副走査方向Ｙに移動して、記録レーザチャンネルｃｈ３を書出し位置（プレート４の右端）に移動して、記録レーザチャンネルｃｈ３をプレート４の記録エリアＬＣ１に位置させ、記録レーザチャンネルｃｈ４を記録エリアＬＣ２に位置させ、記録レーザチャンネルｃｈ５を記録エリアＬＣ３に位置させ、記録レーザチャンネルｃｈ６を記録エリアＬＣ４に位置させる。
【００４６】
したがって、記録エリアＬＣ１は記録レーザチャンネルｃｈ３で記録されるし、記録エリアＬＣ２は記録レーザチャンネルｃｈ４で記録されるし、記録エリアＬＣ３は記録レーザチャンネルｃｈ５で記録されるし、記録エリアＬＣ４は記録レーザチャンネルｃｈ６で記録されるようになる。
【００４７】
また、図２０に示すように、ブラックＫ版記録時では、システムコントロール部２４が機構コントロール部２５に指令して、マガジン側モータドライバー２６に駆動信号を出力することにより、このマガジン側モータドライバー２６を作動してマガジン送りモータ７を起動し、記録マガジン３を副走査方向Ｙに移動して、記録レーザチャンネルｃｈ４を書出し位置（プレート４の右端）に移動して、記録レーザチャンネルｃｈ４をプレート４の記録エリアＬＣ１に位置させ、記録レーザチャンネルｃｈ５を記録エリアＬＣ２に位置させ、記録レーザチャンネルｃｈ６を記録エリアＬＣ３に位置させ、記録レーザチャンネルｃｈ７を記録エリアＬＣ４に位置させる。
【００４８】
したがって、記録エリアＬＣ１は記録レーザチャンネルｃｈ４で記録されるし、記録エリアＬＣ２は記録レーザチャンネルｃｈ５で記録されるし、記録エリアＬＣ３は記録レーザチャンネルｃｈ６で記録されるし、記録エリアＬＣ４は記録レーザチャンネルｃｈ７で記録されるようになる。
【００４９】
次に、ＣＭＹＫフローを、図２１を参照して説明する。
【００５０】
なお、ドラム４にはシアンＣ版用、マゼンタＭ版用、イエローＹ版用及びブラックＫ版用のそれぞれのプレート４が順次装着されるものとする。
【００５１】
処理が開始されると、画像サーバ２２からメモリ２８に画像データが転送されることで色情報の取得が行われる（ステップＳＴ１）。次に、システムコントロール部２４において、取得された色情報がシアンＣであるか否かの判定が行われる（ステップＳＴ２）。
【００５２】
判定の結果、色情報がシアンＣである場合には、図１２に示すように、メモリ２８に対して信号セレクタ２９が、ＬＣ１（記録画像１）を記録レーザチャンネルｃｈ１に割り当て、ＬＣ２（記録画像２）を記録レーザチャンネルｃｈ２に割り当て、ＬＣ３（記録画像３）を記録レーザチャンネルｃｈ３に割り当て、ＬＣ４（記録画像４）を記録レーザチャンネルｃｈ４に割り当てる（ステップＳＴ３）。
【００５３】
次に、機構コントロール部２５がマガジン側モータドライバー２６に駆動信号を出力することにより、このマガジン側モータドライバー２６が作動してマガジン送りモータ７が起動し、記録マガジン３が副走査方向Ｙに移動して、図１７に示すように、記録レーザチャンネルｃｈ１が書出し位置（プレート４の右端）に移動して、記録レーザチャンネルｃｈ１がプレート４の記録エリアＬＣ１に位置し、記録レーザチャンネルｃｈ２が記録エリアＬＣ２に位置し、記録レーザチャンネルｃｈ３が記録エリアＬＣ３に位置し、記録レーザチャンネルｃｈ４が記録エリアＬＣ４に位置する（ステップＳＴ４）。
【００５４】
次に、機構コントロール部２５がドラム側モータドライバー２５に駆動信号を出力することにより、このドラム側モータドライバー２５が作動してドラム駆動モータ６が起動し、ドラム５が主走査方向Ｘに回転を開始する（ステップＳＴ５）。
【００５５】
次に、機構コントロール部２５がマガジン側モータドライバー２６に駆動信号を出力することにより、このマガジン側モータドライバー２６が作動してマガジン送りモータ７が起動し、記録マガジン３が副走査方向Ｙに移動して、記録レーザチャンネルｃｈ１が記録エリアＬＣ１の幅寸法内で移動し、記録レーザチャンネルｃｈ２が記録エリアＬＣ２の幅寸法内で移動し、記録レーザチャンネルｃｈ３が記録エリアＬＣ３の幅寸法内で移動し、記録レーザチャンネルｃｈ４が記録エリアＬＣ４の幅寸法内で移動する（ステップＳＴ６）。
【００５６】
各記録レーザチャンネルｃｈ１〜ｃｈ４に対応したレーザユニット２はレーザビーム１２ｃを発生する。すなわち、レーザチップ１２ａより射出されたレーザ光は、光学系１３によりレーザビーム１２ｃとなって、プレート４の表面に集光される。
【００５７】
したがって、シアンＣ版における記録では、記録エリアＬＣ１は記録レーザチャンネルｃｈ１で記録されるし、記録エリアＬＣ２は記録レーザチャンネルｃｈ２で記録されるし、記録エリアＬＣ３は記録レーザチャンネルｃｈ３で記録されるし、記録エリアＬＣ４は記録レーザチャンネルｃｈ４で記録される。
【００５８】
次に、規定ライン全てに記録が行われたか否かが判定され（ステップＳＴ７）、判定結果、規定ライン全てに記録が行われた場合には、ドラム５の回転が停止され（ステップＳＴ８）、次に、記録マガジンの副走査方向Ｙへの送りが停止されて（ステップＳＴ９）、処理が完了することになる。なお、ステップＳＴ７において、判定結果、規定ライン全てに記録が行われない場合には、再び、規定ライン全てに記録が行われたか否かが判定される。
【００５９】
次に、ステップＳＴ２で判定の結果、色情報がシアンＣでない場合には、取得された色情報がマゼンタＭであるか否かの判定が行われる（ステップＳＴ１０）。
【００６０】
判定の結果、色情報がマゼンタＭである場合には、図１３に示すように、メモリ２８に対して信号セレクタ２９が、ＬＣ１（記録画像１）を記録レーザチャンネルｃｈ２に割り当て、ＬＣ２（記録画像２）を記録レーザチャンネルｃｈ３に割り当て、ＬＣ３（記録画像３）を記録レーザチャンネルｃｈ４に割り当て、ＬＣ４（記録画像４）を記録レーザチャンネルｃｈ５に割り当てる（ステップＳＴ１１）。
【００６１】
次に、機構コントロール部２５がマガジン側モータドライバー２６に駆動信号を出力することにより、このマガジン側モータドライバー２６が作動してマガジン送りモータ７が起動し、記録マガジン３が副走査方向Ｙに移動して、図１８に示すように、記録レーザチャンネルｃｈ２が書出し位置（プレート４の右端）に移動して記録レーザチャンネルｃｈ２がプレート４の記録エリアＬＣ１に位置し、記録レーザチャンネルｃｈ３が記録エリアＬＣ２に位置し、記録レーザチャンネルｃｈ４が記録エリアＬＣ３に位置し、記録レーザチャンネルｃｈ５が記録エリアＬＣ４に位置する（ステップＳＴ１２）。
【００６２】
次に、機構コントロール部２５がドラム側モータドライバー２５に駆動信号を出力することにより、このドラム側モータドライバー２５が作動してドラム駆動モータ６が起動し、ドラム５が主走査方向Ｘに回転を開始する（ステップＳＴ５）。
【００６３】
次に、機構コントロール部２５がマガジン側モータドライバー２６に駆動信号を出力することにより、このマガジン側モータドライバー２６が作動してマガジン送りモータ７が起動し、記録マガジン３が副走査方向Ｙに移動して、記録レーザチャンネルｃｈ２が記録エリアＬＣ１の幅寸法内で移動し、記録レーザチャンネルｃｈ３が記録エリアＬＣ２の幅寸法内で移動し、記録レーザチャンネルｃｈ４が記録エリアＬＣ３の幅寸法内で移動し、記録レーザチャンネルｃｈ５が記録エリアＬＣ４の幅寸法内で移動する（ステップＳＴ６）。
【００６４】
各記録レーザチャンネルｃｈ２〜ｃｈ５に対応したレーザユニット２はレーザビーム１２ｃを発生する。すなわち、レーザチップ１２ａより射出されたレーザ光は、光学系１３によりレーザビーム１２ｃとなって、プレート４の表面に集光される。
【００６５】
したがって、マゼンタＭ版における記録では、記録エリアＬＣ１は記録レーザチャンネルｃｈ２で記録されるし、記録エリアＬＣ２は記録レーザチャンネルｃｈ３で記録され、記録エリアＬＣ３は記録レーザチャンネルｃｈ４で記録され、記録エリアＬＣ４は記録レーザチャンネルｃｈ５で記録される。
【００６６】
次に、規定ライン全てに記録が行われたか否かが判定され（ステップＳＴ７）、判定結果、規定ライン全てに記録が行われた場合には、ドラム５の回転が停止され（ステップＳＴ８）、次に、記録マガジンの副走査方向Ｙへの送りが停止されて（ステップＳＴ９）、処理が完了することになる。なお、ステップＳＴ７において、判定結果、規定ライン全てに記録が行われない場合には、再び、規定ライン全てに記録が行われたか否かが判定される。
【００６７】
次に、ステップＳＴ１０で判定の結果、色情報がマゼンタＭでない場合には、取得された色情報がイエローＹであるか否かの判定が行われる（ステップＳＴ１３）。
【００６８】
判定の結果、色情報がイエローＹである場合には、図１４に示すように、メモリ２８に対して信号セレクタ２９が、ＬＣ１（記録画像１）を記録レーザチャンネルｃｈ３に割り当て、ＬＣ２（記録画像２）を記録レーザチャンネルｃｈ４に割り当て、ＬＣ３（記録画像３）を記録レーザチャンネルｃｈ５に割り当て、ＬＣ４（記録画像４）を記録レーザチャンネルｃｈ６に割り当る（ステップＳＴ１４）。
【００６９】
次に、機構コントロール部２５がマガジン側モータドライバー２６に駆動信号を出力することにより、このマガジン側モータドライバー２６が作動してマガジン送りモータ７が起動し、記録マガジン３が副走査方向Ｙに移動して、図１９に示すように、記録レーザチャンネルｃｈ３が書出し位置（プレート４の右端）に移動して、記録レーザチャンネルｃｈ３が記録エリアＬＣ１に位置し、記録レーザチャンネルｃｈ４が記録エリアＬＣ２に位置し、記録レーザチャンネルｃｈ５が記録エリアＬＣ３に位置し、記録レーザチャンネルｃｈ６が記録エリアＬＣ４に位置する（ステップＳＴ１５）。
【００７０】
次に、機構コントロール部２５がドラム側モータドライバー２５に駆動信号を出力することにより、このドラム側モータドライバー２５が作動してドラム駆動モータ６が起動し、ドラム５が主走査方向Ｘに回転を開始する（ステップＳＴ５）。
【００７１】
次に、機構コントロール部２５がマガジン側モータドライバー２６に駆動信号を出力することにより、このマガジン側モータドライバー２６が作動してマガジン送りモータ７が起動し、記録マガジン３が副走査方向Ｙに移動して、記録レーザチャンネルｃｈ３が記録エリアＬＣ１の幅寸法内で移動し、記録レーザチャンネルｃｈ４が記録エリアＬＣ２の幅寸法内で移動し、記録レーザチャンネルｃｈ５が記録エリアＬＣ３の幅寸法内で移動し、記録レーザチャンネルｃｈ６が記録エリアＬＣ４の幅寸法内で移動する（ステップＳＴ６）。
【００７２】
各記録レーザチャンネルｃｈ３〜ｃｈ６に対応したレーザユニット２はレーザビーム１２ｃを発生する。すなわち、レーザチップ１２ａより射出されたレーザ光は、光学系１３によりレーザビーム１２ｃとなって、プレート４の表面に集光される。
【００７３】
したがって、イエローＹ版における記録では、記録エリアＬＣ１は記録レーザチャンネルｃｈ３で記録されるし、記録エリアＬＣ２は記録レーザチャンネルｃｈ４で記録されるし、記録エリアＬＣ３は記録レーザチャンネルｃｈ５で記録されるし、記録エリアＬＣ４は記録レーザチャンネルｃｈ６で記録される。
【００７４】
次に、規定ライン全てに記録が行われたか否かが判定され（ステップＳＴ７）、判定結果、規定ライン全てに記録が行われた場合には、ドラム５の回転が停止され（ステップＳＴ８）、次に、記録マガジンの副走査方向Ｙへの送りが停止されて（ステップＳＴ９）、処理が完了することになる。なお、ステップＳＴ７において、判定結果、規定ライン全てに記録が行われない場合には、再び、規定ライン全てに記録が行われたか否かが判定される。
【００７５】
次に、ステップＳＴ１３で判定の結果、色情報がイエローＹでない場合には、ブラックＫと判定され、図１５に示すように、メモリ２８に対して信号セレクタ２９が、ＬＣ１（記録画像１）を記録レーザチャンネルｃｈ４に割り当て、ＬＣ２（記録画像２）を記録レーザチャンネルｃｈ５に割り当て、ＬＣ３（記録画像３）を記録レーザチャンネルｃｈ６に割り当て、ＬＣ４（記録画像４）を記録レーザチャンネルｃｈ７に割り当てる（ステップＳＴ１６）。
【００７６】
次に、機構コントロール部２５がマガジン側モータドライバー２６に駆動信号を出力することにより、このマガジン側モータドライバー２６が作動してマガジン送りモータ７が起動し、記録マガジン３が副走査方向Ｙに移動して、図２０に示すように、記録レーザチャンネルｃｈ４が書出し位置（プレート４の右端）に移動して、記録レーザチャンネルｃｈ４が記録エリアＬＣ１に位置し、記録レーザチャンネルｃｈ５が記録エリアＬＣ２に位置し、記録レーザチャンネルｃｈ６が記録エリアＬＣ３に位置し、記録レーザチャンネルｃｈ７が記録エリアＬＣ４に位置する（ステップＳＴ１７）。
【００７７】
次に、機構コントロール部２５がドラム側モータドライバー２５に駆動信号を出力することにより、このドラム側モータドライバー２５が作動してドラム駆動モータ６が起動し、ドラム５が主走査方向Ｘに回転を開始する（ステップＳＴ５）。
【００７８】
次に、機構コントロール部２５がマガジン側モータドライバー２６に駆動信号を出力することにより、このマガジン側モータドライバー２６が作動してマガジン送りモータ７が起動し、記録マガジン３が副走査方向Ｙに移動して、記録レーザチャンネルｃｈ４が記録エリアＬＣ１の幅寸法内で移動し、記録レーザチャンネルｃｈ５が記録エリアＬＣ２の幅寸法内で移動し、記録レーザチャンネルｃｈ６が記録エリアＬＣ３の幅寸法内で移動し、記録レーザチャンネルｃｈ７が記録エリアＬＣ４の幅寸法内で移動する（ステップＳＴ６）。
【００７９】
各記録レーザチャンネルｃｈ４〜ｃｈ７に対応したレーザユニット２はレーザビーム１２ｃを発生する。すなわち、レーザチップ１２ａより射出されたレーザ光は、光学系１３によりレーザビーム１２ｃとなって、プレート４の表面に集光される。
【００８０】
したがって、ブラックＫ版における記録では、記録エリアＬＣ１は記録レーザチャンネルｃｈ４で記録されるし、記録エリアＬＣ２は記録レーザチャンネルｃｈ４で記録されるし、記録エリアＬＣ３は記録レーザチャンネルｃｈ５で記録されるし、記録エリアＬＣ４は記録レーザチャンネルｃｈ６で記録される。
【００８１】
次に、規定ライン全てに記録が行われたか否かが判定され（ステップＳＴ７）、判定結果、規定ライン全てに記録が行われた場合には、ドラム５の回転が停止され（ステップＳＴ８）、次に、記録マガジンの副走査方向Ｙへの送りが停止されて（ステップＳＴ９）、処理が完了することになる。なお、ステップＳＴ７において、判定結果、規定ライン全てに記録が行われない場合には、再び、規定ライン全てに記録が行われたか否かが判定される。
【００８２】
以上、説明したように、本発明の実施例では、色情報が、例えば、シアンＣである場合には、メモリ２８に対して信号セレクタ２９が、ＬＣ１（記録画像１）を記録レーザチャンネルｃｈ１に割り当て、ＬＣ２（記録画像２）を記録レーザチャンネルｃｈ２に割り当て、ＬＣ３（記録画像３）を記録レーザチャンネルｃｈ３に割り当て、ＬＣ４（記録画像４）を記録レーザチャンネルｃｈ４に割り当てるし、そして、記録マガジン３を副走査方向Ｙに移動して、記録レーザチャンネルｃｈ１をプレート４の記録エリアＬＣ１に位置させ、記録レーザチャンネルｃｈ２を記録エリアＬＣ２に位置させ、記録レーザチャンネルｃｈ３を記録エリアＬＣ３に位置させ、記録レーザチャンネルｃｈ４を記録エリアＬＣ４に位置させることができるし、また、色情報が、例えば、マゼンタＭである場合には、メモリ２８に対して信号セレクタ２９が、ＬＣ１（記録画像１）を記録レーザチャンネルｃｈ２に割り当て、ＬＣ２（記録画像２）を記録レーザチャンネルｃｈ３に割り当て、ＬＣ３（記録画像３）を記録レーザチャンネルｃｈ４に割り当て、ＬＣ４（記録画像４）を記録レーザチャンネルｃｈ５に割り当てるし、そして、記録マガジン３を副走査方向Ｙに移動して、記録レーザチャンネルｃｈ２をプレート４の記録エリアＬＣ１に位置させ、記録レーザチャンネルｃｈ３を記録エリアＬＣ２に位置させ、記録レーザチャンネルｃｈ４を記録エリアＬＣ３に位置させ、記録レーザチャンネルｃｈ５を記録エリアＬＣ４に位置させることができる。
【００８３】
また、色情報が、例えば、イエローＹである場合には、メモリ２８に対して信号セレクタ２９が、ＬＣ１（記録画像１）を記録レーザチャンネルｃｈ３に割り当て、ＬＣ２（記録画像２）を記録レーザチャンネルｃｈ４に割り当て、ＬＣ３（記録画像３）を記録レーザチャンネルｃｈ５に割り当て、ＬＣ４（記録画像４）を記録レーザチャンネルｃｈ６に割り当てるし、そして、記録マガジン３を副走査方向Ｙに移動して、記録レーザチャンネルｃｈ３をプレート４の記録エリアＬＣ１に位置させ、記録レーザチャンネルｃｈ４を記録エリアＬＣ２に位置させ、記録レーザチャンネルｃｈ５を記録エリアＬＣ３に位置させ、記録レーザチャンネルｃｈ６を記録エリアＬＣ４に位置させることができるし、また、色情報が、例えば、ブラックＫである場合には、メモリ２８に対して信号セレクタ２９が、ＬＣ１（記録画像１）を記録レーザチャンネルｃｈ４に割り当て、ＬＣ２（記録画像２）を記録レーザチャンネルｃｈ５に割り当て、ＬＣ３（記録画像３）を記録レーザチャンネルｃｈ６に割り当て、ＬＣ４（記録画像４）を記録レーザチャンネルｃｈ７に割り当てるし、そして、記録マガジン３を副走査方向Ｙに移動して、記録レーザチャンネルｃｈ４をプレート４の記録エリアＬＣ１に位置させ、記録レーザチャンネルｃｈ５を記録エリアＬＣ２に位置させ、記録レーザチャンネルｃｈ６を記録エリアＬＣ３に位置させ、記録レーザチャンネルｃｈ７を記録エリアＬＣ４に位置させることができる。
【００８４】
上記のように、レーザユニット２の副走査方向における書き出し位置を色分解した複数の画像毎に異ならせることで、複数のレーザユニット２の露光特性が異なっても、記録した画像の濃度ムラを低減することができる。すなわち、イエローＹ版、マゼンタＭ版、シアンＣ版及びブラックＫ版を重ね合わして印刷した印刷物には濃度ムラが低減するようになる。
【産業上の利用可能性】
【００８５】
本発明に係る画像記録装置は、レーザユニットの副走査方向における書き出し位置を色分解した複数の画像毎に異ならせることで、複数のレーザユニットの露光特性が異なっても、記録した画像の濃度ムラを低減することができるという効果を有しており、プレートに高解像度の画像を高速で形成する画像記録装置等に最適である。
【図面の簡単な説明】
【００８６】
【図１】本発明に係る画像記録装置の正面図
【図２】同画像記録装置の一部省略した斜視図
【図３】本発明に係る光記録ヘッドのユニット本体の斜視図
【図４】同ユニット本体の正面図
【図５】同ユニット本体に設けられたレーザユニットの配列を示す説明図
【図６】同ユニット本体を複数配列した状態の正面図
【図７】同光記録ヘッドの側面図
【図８】図７のＤ−Ｄ線に沿う拡大断面図
【図９】ユニット本体とドラムの位置関係の説明図
【図１０】本発明に係る画像記録装置の画像記録制御手段のブロック図
【図１１】記録制御手段のブロック図
【図１２】シアンＣ版記録時のブロック図
【図１３】マゼンタＭ版記録時のブロック図
【図１４】イエローＹ版記録時のブロック図
【図１５】ブラックＫ版記録時のブロック図
【図１６】プレートにおける記録エリアの説明図
【図１７】シアンＣ版における記録エリアの説明図
【図１８】マゼンタＭ版における記録エリアの説明図
【図１９】イエローＹ版における記録エリアの説明図
【図２０】ブラックＫ版における記録エリアの説明図
【図２１】ＣＭＹＫのフローチャート
【図２２】レーザパワーとレーザドライブ電流値の関係図
【図２３】プレート上での網濃度のグラフ
【符号の説明】
【００８７】
Ｈ      光記録ヘッド
１      ユニット本体
２      レーザユニット
３      記録マガジン
４      プレート（記録媒体）
５      ドラム
６      サーボモータ（主走査手段）
６Ａ    エンコーダ
７      リニアモータ（副走査手段）
７Ａ    エンコーダ
１２    レーザパッケージ
１２ａ  レーザチップ
１２ｃ  レーザビーム
１３    光学系
２０    画像記録制御手段
２２    上位システム側の画像サーバ
２３    インタフェース部
２４    システムコントロール部（制御手段）
２５    ドラム側モータドライバー（主走査制御手段）
２６    マガジン側モータドライバー（副走査制御手段）
２７    機構コントロール部
２８    メモリ（ページメモリもしくはチャンネルｃｈ数分のラインメモリ）（記憶手段）
２９    信号セレクタ（選択手段）
３０    マイクロコンピュータ（制御手段）（割当て手段）（書出し位置移動手段)
【図１】
2008275764.tif 000003
【図２】
2008275764.tif 000004
【図３】
2008275764.tif 000005
【図４】
2008275764.tif 000006
【図５】
2008275764.tif 000007
【図６】
2008275764.tif 000008
【図７】
2008275764.tif 000009
【図８】
2008275764.tif 000010
【図９】
2008275764.tif 000011
【図１０】
2008275764.tif 000012
【図１１】
2008275764.tif 000013
【図１２】
2008275764.tif 000014
【図１３】
2008275764.tif 000015
【図１４】
2008275764.tif 000016
【図１５】
2008275764.tif 000017
【図１６】
2008275764.tif 000018
【図１７】
2008275764.tif 000019
【図１８】
2008275764.tif 000020
【図１９】
2008275764.tif 000021
【図２０】
2008275764.tif 000022
【図２１】
2008275764.tif 000023
【図２２】
2008275764.tif 000024
【図２３】
2008275764.tif 000025